(57)【要約】【課題】  剛性を有しながらも弾性を有して変形可能で、変形状態で搬送できるメガホンで、メガホン自体を叩いても音が吸収されて大音で騒音となることなく、メガホンで相手を叩いても弾性があるので相手に衝撃を与えない応援用グッズを提供する。【解決手段】  熱可塑性合成樹脂の発泡体、例えばポリエチレン系樹脂やポリオレフィン系樹脂又はスチレン系樹脂の発泡体で弾性及び剛性を有する厚さ１．５〜６．０ｍｍの板状の扇面体４を素材とし、先細の短小筒体の口当部２と、先拡がりの長大筒体の拡声部３とからなるメガホン１で、これらの板状の扇面体４から形成の先細の口当部２と先拡がりの長大筒体の拡声部３は、板状の扇面体４から、径小部８で接続され、さらに筒状体に縫糸５で接続されてメガホン１に形成されている。【選択図】      図１
0003114735.tif 000002
【実用新案登録請求の範囲】
【請求項１】
熱可塑性合成樹脂の発泡体で発泡倍率が３〜１５倍の弾性及び剛性を有する発泡体からスライスした厚さ１．５〜６．０ｍｍの板状の扇面体４から形成の先細の短小筒体の口当部２と先拡がりの長大筒体の拡声部３とからなることを特徴とするメガホン１。
【請求項２】
板状の扇面体４から形成の先細の口当部２と先拡がりの長大筒体の拡声部３は板状の扇面体４から立体的に縫製により縫糸５で接続されてそれぞれ筒体６に形成され、かつ、両者は径小部８で接続されてメガホン１に形成されていることを特徴とする請求項１に記載のメガホン１。
【請求項３】
板状の扇面体４から形成の先拡がりの長大筒体の拡声部３は、その筒体６の径小部８の側の対向する筒壁７の２箇所の小孔９にメガホン吊り下げ用のリング状の吊り下げ紐１０の紐端を係止していることを特徴とする請求項１または２に記載のメガホン１。
【考案の詳細な説明】
【技術分野】
【０００１】
この考案は、野球の応援その他の運動の応援あるいは商品の販売促進用の呼び込みなどに使用するメガホンに関し、特に、軽くて、人に当たっても怪我させることが無く、容易に割れることなく、また、メガホン自体を叩いても音が響かない環境に優しいメガホンに関する。
【背景技術】
【０００２】
通常のメガホンは、硬い厚板紙や硬質プラスチック板などの硬質の板状体から形成されている。このため、これらのメガホンは嵩張っており、搬送あるいは収納に場所をとる。さらに、素材が硬質であるためにメガホンを野球などの応援グッズとして球場やサッカー場に持って行き、応援時にその胴体を叩いて応援すると硬質の大きな甲高い音を生じることとなり、時には球場やサッカー場の場外にも響く騒音の要因となる。また、この硬いメガホンを振り上げたり、スタンドから他のスタンドに投げたりあるいはグラウンドに投げ入れると、凶器に変貌して怪我を負わせることもある。このために、球場やサッカー場によっては、応援グッズとしてメガホンを観客席に持ち込むことを禁止しているところもある。
【０００３】
従来のメガホンとして、注入口より空気を吹き込んだ状態でメガホンと座布団の両機能を持ち、持ち歩くときは空気を出して小さく折りたたむことができ、携帯に便利な応援グッズとしてのメガホンが提案されている（例えば、特許文献１参照。）。しかし、このものは、現実には座って応援している場合には、メガホンとすると座布団として使用できないので、結局は両機能を持たせても何の働きもしないものとなる。さらに拍子木のように叩いて音を発して応援するための用具として、メガホンを縦に２分割し得るものが提案されている（例えば、特許文献２参照。）。しかし、このものは上記したように騒音の要因となるに過ぎないものである。
【０００４】
【特許文献１】特開２００１−２８２２４８号公報。
【特許文献２】特開２０００−７５８６４号公報。
【考案の開示】
【考案が解決しようとする課題】
【０００５】
本考案が解決しようとする課題は、従来のメガホンは、上記のように硬い厚板紙や硬質プラスチック板などの硬質の板状体から形成されており、変形できないので搬送に大きな場所を必要とし、また、使用時に本体を叩くと大きな騒音を発し、さらに、硬質であるので興奮して振り回したり、放り投げると凶器となっていた。また、２つの機能を持たせて各局は虻蜂取らずになっていた。そこで、本考案のメガホンは、機能を明確に１つにしぼり、ある程度の剛性を有しながらも柔軟性で弾性を有して変形可能で変形した状態で搬送を容易とし、メガホンの胴体を叩いても音を吸収して大音を発して騒音となることなく、メガホンの胴体を叩いても柔軟性があるので相手に衝撃を与えることのないメガホン応援用グッズを提供することである。
【課題を解決するための手段】
【０００６】
上記の課題を解決するための本考案の手段は、請求項１の考案では、熱可塑性合成樹脂系の発泡体、例えばポリエチレン系樹脂やオレフィン系樹脂又はスチレン系樹脂の発泡体で発泡倍率が３〜１５倍に発泡した弾性及び剛性を有する厚さ１．５〜６．０ｍｍにスライスした板状の扇面体４から形成の先細の短小筒体の口当部２と先拡がりの長大筒体の拡声部３とからなることを特徴とするメガホン１である。
【０００７】
さらに請求項２の考案では、板状の扇面体４から形成の先細の口当部２と先拡がりの長大筒体の拡声部３は、板状の扇面体４から筒状体に縫製により縫糸５で接続されてそれぞれ筒体６に形成され、かつ、両者は径小部８で接続されてメガホン１に形成されていることを特徴とする請求項１の手段の記載のメガホン１である。
【０００８】
さらに、また、請求項３の発明では、板状の扇面体４から形成の先拡がりの長大筒体の拡声部３は、その筒体６の径小部８の側の対向する筒壁７の２箇所の小孔９にメガホン吊り下げ用のリング状の吊り下げ紐１０の紐端を係止していることを特徴とする請求項１または２の手段のメガホン１である。
【考案の効果】
【０００９】
本考案のメガホンは、弾性のある柔軟性、及び、形状を維持する剛性の両方を持ち合わせた熱可塑性合成樹脂系の発泡体の成型体からなるので、変形可能で、変形した状態で持ち運びできでき、さらにメガホンの胴体を叩いても音を吸収して大音を発して騒音となることなく、メガホンの胴体を叩いても柔軟性があるので相手に衝撃を与えることのないなど、応援グッズとして安全な小道具となりうる、従来に無い優れた効果を有する。
【考案を実施するための最良の形態】
【００１０】
図面を参照して、本考案のメガホン１について説明する。請求項１に係る考案の実施の形態では、例えば図１に示すメガホン１は、熱可塑性合成樹脂系の発泡体、例えばポリエチレン系樹脂の発泡体で弾性及び剛性を有する成形体からスライスして得た厚さ１．５〜６．０ｍｍの板状の扇面体４、上記の図１のメガホン１の例では厚さ３．０ｍｍの板状の図２に示す扇面体４、から形成されている。すなわち、この図２に示す板状の扇面体４から、先細の短小筒体の口当部２と先拡がりの長大筒体の拡声部３とをそれぞれの最少径小部８でつないでメガホン１としている。この場合、この拡声部３の外側の直径は１１ｃｍで、口当部２の外側の直径は６．５ｃｍであり、それぞれの繋ぎ目である最小径部の直径は２．５ｃｍで、全体の長さは２９ｃｍであり、拡声部３の長さは２５ｃｍで、口当部２の長さは４ｃｍである。
【００１１】
したがって、このメガホン１は、拡声部３を形成する扇面体４の大きさが拡声部の外側の弧４ａの長さで３５ｃｍ、拡声部の内側の弧４ｂの長さが８ｃｍ、拡声部の外側の弧４ａと拡声部の内側の弧４ｂ間である拡声部の扇面体の径４ｃの長さが２５ｃｍから先拡がりの長大筒体に形成されている。一方、口当部２を形成する扇面体４の大きさが口当部の外側の弧４ｄの長さで２０ｃｍ、口当部の内側の弧４ｅの長さが８ｃｍ、口当部の外側の弧４ｄと口当部の内側の弧４ｅ間の口当部の扇面体の径４ｆの長さは４．５ｃｍから先細の短小筒体に形成されている。
【００１２】
さらに、請求項２に係る考案の実施の形態では、板状の扇面体４から形成の先細の口当部２と先拡がりの長大筒体の拡声部３は、板状の扇面体４から端部突き合わせして筒状体に縫糸５で、例えば２点千鳥縫いにより、接続されてそれぞれ筒体６に形成され、かつ、両者は径小部８で、同じく２点千鳥縫いにより、接続されて形成された請求項１の手段のメガホン１である。
【００１３】
この場合、径小部８となるそれぞれの板状の扇面体４の内側の弧４ｂの部分を先ず２点千鳥縫いにより接続し、次いで、板状の扇面体４から端部突き合わせした部分を２点千鳥縫いにより接続してメガホン１に完成している。
【００１４】
さらに請求項３の考案の実施の形態では、板状の扇面体４から形成の先拡がりの長大筒体の拡声部３は、拡声部３の径小部８に近い部分の筒体６の対向する筒壁７の２箇所に小孔９を開口し、この小孔９にメガホン吊り下げ用のリング状とした吊り下げ紐１０の両端である各紐端を通し、この通した各紐端の先端を結んで小孔９の孔径より径の大きなこぶ状として小孔９から抜けないように係止している請求項１または２の手段のメガホン１である。
【００１５】
上記のメガホン１は、素材が弾性のある発泡体であるので変形させても元に戻る復元力を有し、さらに叩いても衝撃が吸収されるので痛くなく、また大きな音を響かせることがない。さらに、素材の発泡体の製造時に明るい例えば橙色などの任意の色に着色する色素を混入することでカラフルなものとでき、さらに応援グッズとするときは、ひいきチームのチーム名やシンボルマークを他の色で筒体に描くことができる。
【図面の簡単な説明】
【００１６】
【図１】本考案のメガホンの斜視図である。
【図２】板状の扇面体の平面図を示し、（ａ）は拡声部の扇面体で、（ｂ）は口当部扇面体である。
【符号の説明】
【００１７】
１  メガホン
２  口当部
３  拡声部
４  扇面体
４ａ  拡声部の外側の弧
４ｂ  拡声部の内側の弧
４ｃ  拡声部の扇面体の径
４ｄ  口当部の外側の弧
４ｅ  口当部の内側の弧
４ｆ  口当部の扇面体の径
５  縫糸
６  筒体
７  筒壁
８  径小部
９  小孔
１０  吊り下げ紐
【図１】
0003114735.tif 000003
【図２】
0003114735.tif 000004